(57)【要約】【課題】  再生専用データの消去を防止することができるデータ記録再生装置の提供。【解決手段】  データ記録再生装置が備えるＨＤＤのハードディスク（記録媒体）１３は、予めフォルダＡ，Ｂ，Ｃ，Ｄ，Ｅが設けられたドライブＣ（データ領域）と、予めフォルダＦが設けられ、再生が可能であり、消去が不可能なドライブＤ（読取専用領域）とを有する。フォルダＡ，Ｂ，Ｃ，Ｄは映像／音声データを記録し、フォルダＦにはデモデータ（再生専用データ）が予め記録されている。フォルダＥにはフォルダＦに記録してあるデモデータが複写される。データ記録再生装置は、ドライブＣの存在を示す領域存在データを外部へ出力する。領域存在データはフォルダＡ，Ｂ，Ｃ，Ｄを含むが、フォルダＥ（再生専用データ記録区域）を含まない。【選択図】        図３
2005235339.tif 000002
【特許請求の範囲】
【請求項１】
記録媒体と、該記録媒体にデータを記録する記録手段と、前記記録媒体に記録してあるデータを再生する再生手段と、前記記録媒体に記録してあるデータを消去する消去手段とを備えるデータ記録再生装置において、
前記記録媒体の領域は、前記消去手段による消去可能なデータが記録されるデータ領域と、消去不可能なデータが記録される読取専用領域とを含み、
該読取専用領域に再生専用データを予め記録してある
ことを特徴とするデータ記録再生装置。
【請求項２】
前記記録媒体が有する領域の中で前記読取専用領域以外の他の領域の存在を示す領域存在データを外部へ出力する外部出力手段を更に備えることを特徴とする請求項１に記載のデータ記録再生装置。
【請求項３】
前記データ領域は、前記読取専用領域から再生専用データを複写することが可能な再生専用データ記録区域を有し、
前記領域存在データは、前記再生専用データ記録区域を含まない
ことを特徴とする請求項２に記載のデータ記録再生装置。
【請求項４】
前記再生専用データの再生指示を受け付ける再生受付手段と、
該再生受付手段が再生指示を受け付けた場合に、前記再生専用データ記録区域に再生専用データが記録してあるか否かを判定する記録判定手段と、
該記録判定手段が前記再生専用データ記録区域に再生専用データが記録していないと判定した場合に、前記読取専用領域に記録してある再生専用データを前記再生専用データ記録区域へ複写する複写手段と、
該複写手段により前記再生専用データ記録区域へ複写された再生専用データを前記再生手段により再生させる制御を行う手段と
を更に備えることを特徴とする請求項３に記載のデータ記録再生装置。
【請求項５】
前記再生専用データ記録区域を有するデータ領域に記録してあるデータの全消去指示を受け付ける全消去受付手段と、
該全消去受付手段が全消去指示を受け付けた場合に、前記データ領域に記録してある全てのデータを前記消去手段により消去させ、前記読取専用領域に記録してある再生専用データを前記複写手段により前記再生専用データ記録区域へ複写させる制御を行う手段と
を更に備えることを特徴とする請求項４に記載のデータ記録再生装置。
【発明の詳細な説明】
【技術分野】
【０００１】
本発明はデータを記録／再生するデータ記録再生装置、より詳細には、再生専用データの消去を防止するデータ記録再生装置に関する。
【背景技術】
【０００２】
従来のデータ記録再生装置は、ハードディスク装置（以下、ＨＤＤという）にテレビ放送の映像／音声データを圧縮符号化して記録し、記録した映像／音声データを復号化伸張して再生し、データ記録再生装置に接続したテレビに再生した映像を表示し、音声を出力することができる（例えば、特許文献１参照）。
【０００３】
また、従来のデータ記録再生装置には、ＨＤＤにデモンストレーションデータ（以下、デモデータという）を予め記録しておくことにより、デモンストレーションを行うように構成したものもある。ここでいうデモデータとは、例えば装置の操作方法を説明するためのマニュアル内容をデータ化したマニュアルデータ（映像／音声データ）であって、データの改変ができない再生専用データであり、デモンストレーションとは、デモデータの再生である。
【０００４】
以上のようにデモデータを予めＨＤＤに記録しておくことにより、従来のデータ記録再生装置では、例えばデータ記録再生装置の販売時、又はデータ記録再生装置を購入後等に使用者が装置の操作方法をデモンストレーションする場合、使用者は知りたい操作方法を分厚くなりがちなマニュアルを手にして調べることなく、簡便に検索して知ることが可能となる。
【特許文献１】特開２００２−２６９８９９号公報
【発明の開示】
【発明が解決しようとする課題】
【０００５】
しかしながら、従来のデータ記録再生装置にあっては、デモデータはテレビ放送の映像／音声データの記録／消去を行うのと同じ領域に記録されているため、使用者の操作対象となってデモデータが消去される虞があるという問題がある。更に、使用者は自身が記録していないデモデータを認識することとなり、操作においてデータを選択する対象が増加し、データ選択に係る操作性が悪くなるという問題がある。
【０００６】
本発明は斯かる問題に鑑みてなされたものであり、その目的とするところは、記録媒体の領域を消去可能なデータが記録されるデータ領域と、消去不可能なデータが記録される読取専用領域とし、その読取専用領域に再生専用データを予め記録しておく構成とすることにより、再生専用データの消去を防止することができるデータ記録再生装置を提供することにある。
【０００７】
本発明の他の目的は、読取専用領域以外の領域の存在を示す領域存在データを外部へ出力する構成とすることにより、領域存在データを例えば表示装置へ出力する場合、使用者に読取専用領域の存在を認識させることを防止すると共に、データ選択に係る操作性を向上することができるデータ記録再生装置を提供することにある。
【０００８】
本発明の他の目的は、データ領域は再生専用データを複写することが可能な再生専用データ記録区域を有する構成とし、領域存在データには再生専用データ記録区域を含まないことにより、使用者に再生専用データ記録区域の存在を認識させることを防止すると共に、データ選択に係る操作性を更に向上し、再生専用データ記録区域に複写してある再生専用データを再生することができるデータ記録再生装置を提供することにある。
【０００９】
本発明の他の目的は、再生専用データの再生指示を受け付けた場合に、再生専用データ記録区域に再生専用データが記録してあるか否かを判定し、記録していないと判定した場合に、読取専用領域に記録してある再生専用データを再生専用データ記録区域へ複写してから再生する構成とすることにより、再生専用データを確実に再生させることができるデータ記録再生装置を提供することにある。
【００１０】
本発明の更に他の目的は、再生専用データ記録区域を有するデータ領域に記録してあるデータの全消去指示を受け付けた場合に、データ領域に記録してある全てのデータを消去し、読取専用領域に記録してある再生専用データを再生専用データ記録区域へ複写する構成とすることにより、データの全消去処理後における再生専用データの読取専用領域から再生専用データ記録区域への複写を自動的に行うことができるデータ記録再生装置を提供することにある。
【課題を解決するための手段】
【００１１】
本発明に係るデータ記録再生装置は、記録媒体と、該記録媒体にデータを記録する記録手段と、前記記録媒体に記録してあるデータを再生する再生手段と、前記記録媒体に記録してあるデータを消去する消去手段とを備えるデータ記録再生装置において、前記記録媒体の領域は、前記消去手段による消去可能なデータが記録されるデータ領域と、消去不可能なデータが記録される読取専用領域とを含み、該読取専用領域に再生専用データを予め記録してあることを特徴とする。
【００１２】
本発明にあっては、記録媒体の領域を消去可能なデータが記録されるデータ領域と、消去不可能なデータが記録される読取専用領域とし、その読取専用領域に再生専用データを予め記録してある構成としたので、読取専用領域に記録してある再生専用データの再生手段による再生が可能となり、消去手段による消去が不可能となる。
【００１３】
本発明に係るデータ記録再生装置においては、前記記録媒体が有する領域の中で前記読取専用領域以外の他の領域の存在を示す領域存在データを外部へ出力する外部出力手段を更に備えることを特徴とする。
【００１４】
本発明にあっては、読取専用領域以外の領域の存在を示す領域存在データを外部へ出力する構成としたので、領域存在データを例えば表示装置へ出力する場合、表示装置には読取専用領域以外の領域は表示されるが、読取専用領域は表示されない。これにより、使用者に読取専用領域の存在を認識させることを防止すると共に、データ選択に係る操作性が向上する。
【００１５】
本発明に係るデータ記録再生装置においては、前記データ領域は、前記読取専用領域から再生専用データを複写することが可能な再生専用データ記録区域を有し、前記領域存在データは、前記再生専用データ記録区域を含まないことを特徴とする。
【００１６】
本発明にあっては、データ領域は再生専用データを複写することが可能な再生専用データ記録区域を有する構成とし、領域存在データは再生専用データ記録区域を含まないため、領域存在データを例えば表示装置へ出力する場合、表示装置には読取専用領域だけでなく、再生専用データ記録区域も表示されない。これにより、使用者に再生専用データ記録区域の存在を認識させることを防止すると共に、データ選択に係る操作性が更に向上する。また、再生専用データ記録区域に複写してある再生専用データの再生手段による再生が可能となる。
【００１７】
本発明に係るデータ記録再生装置においては、前記再生専用データの再生指示を受け付ける再生受付手段と、該再生受付手段が再生指示を受け付けた場合に、前記再生専用データ記録区域に再生専用データが記録してあるか否かを判定する記録判定手段と、該記録判定手段が前記再生専用データ記録区域に再生専用データが記録していないと判定した場合に、前記読取専用領域に記録してある再生専用データを前記再生専用データ記録区域へ複写する複写手段と、該複写手段により前記再生専用データ記録区域へ複写された再生専用データを前記再生手段により再生させる制御を行う手段とを更に備えることを特徴とする。
【００１８】
本発明にあっては、再生専用データの再生指示を受け付けた場合に、再生専用データ記録区域に再生専用データが記録してあるか否かを判定し、記録していないと判定した場合に、読取専用領域に記録してある再生専用データを再生専用データ記録区域に複写してから再生する構成としたので、再生専用データの再生指示を受け付けた場合に、再生専用データ記録区域に再生専用データが記録されていないときには、再生専用データを読取専用領域から再生専用データ記録区域へ自動的に複写してから再生するようになる。
【００１９】
本発明に係るデータ記録再生装置においては、前記再生専用データ記録区域を有するデータ領域に記録してあるデータの全消去指示を受け付ける全消去受付手段と、該全消去受付手段が全消去指示を受け付けた場合に、前記データ領域に記録してある全てのデータを前記消去手段により消去させ、前記読取専用領域に記録してある再生専用データを前記複写手段により前記再生専用データ記録区域へ複写させる制御を行う手段とを更に備えることを特徴とする。
【００２０】
本発明にあっては、再生専用データ記録区域を有するデータ領域に記録してあるデータの全消去指示を受け付けた場合に、データ領域に記録してある全てのデータを消去し、読取専用領域に記録してある再生専用データを再生専用データ記録区域へ複写する構成としたので、データの全消去処理後に、再生専用データを読取専用領域から再生専用データ記録区域へ自動的に複写するようになる。
【発明の効果】
【００２１】
本発明によれば、記録媒体の領域を消去可能なデータが記録されるデータ領域と、消去不可能なデータが記録される読取専用領域とし、その読取専用領域に再生専用データを予め記録してある構成としているため、読取専用領域に記録してある再生専用データの再生手段による再生を確保した上で、消去手段による消去をも防止できる。
【００２２】
加えて、再生専用データを例えば装置の操作方法を説明するためのマニュアルデータとした場合、マニュアルデータは読取専用領域から消去されることなく常に記録された状態にあるため、装置を回収してマニュアルデータ装備の状態で再販売することができ、再販売として購入した使用者に対してもマニュアルデータ不備といった不便感を与えることがない。
【００２３】
また、本発明によれば、読取専用領域以外の領域の存在を示す領域存在データを外部へ出力する構成としているため、領域存在データを例えば表示装置へ出力する場合、使用者に読取専用領域の存在を認識させることを防止できると共に、データ選択に係る操作性を向上することができる。
【００２４】
また、本発明によれば、データ領域は再生専用データを複写することが可能な再生専用データ記録区域を有する構成とし、領域存在データは再生専用データ記録区域を含まないため、領域存在データを例えば表示装置へ出力する場合、使用者に再生専用データ記録区域の存在を認識させることを防止できると共に、データ選択に係る操作性を更に向上することができ、しかも、再生専用データ記録区域に複写してある再生専用データを再生手段により再生することができる。
【００２５】
また、本発明によれば、再生専用データの再生指示を受け付けた場合に、再生専用データ記録区域に再生専用データが記録してあるか否かを判定し、記録していないと判定した場合に、読取専用領域に記録してある再生専用データを再生専用データ記録区域へ複写してから再生する構成としているため、再生専用データの再生指示を受け付けた場合に、再生専用データ記録区域に再生専用データが記録されていないときには、再生専用データの読取専用領域から再生専用データ記録区域への複写を自動的に行ってから、再生専用データ記録区域に複写してある再生専用データを確実に再生させることができる。
【００２６】
更に、本発明によれば、再生専用データ記録区域を有するデータ領域に記録してあるデータの全消去指示を受け付けた場合に、前記データ領域に記録してある全てのデータを消去し、読取専用領域に記録してある再生専用データを再生専用データ記録区域へ複写する構成としているため、データの全消去処理後における再生専用データの読取専用領域から再生専用データ記録区域への複写を自動的に行うことができる。
【発明を実施するための最良の形態】
【００２７】
以下に、本発明のデータ記録再生装置をテレビ放送の映像／音声データを記録／再生するビデオ装置に適用した場合の実施の形態について図面を用いて詳細に説明する。
【００２８】
図１は本発明に係るデータ記録再生装置の概観及び接続例を示す模式図である。図において、２０は本発明に係るデータ記録再生装置である。データ記録再生装置２０は直方体状をなしており、正面中央部に液晶パネルからなる表示部３が、正面右方に装置を直接操作するための操作部４がそれぞれ設けられている。
【００２９】
操作部４は、テレビ放送のチャンネル選択ボタン４１、映像／音声データの記録ボタン４２、記録した映像／音声データの巻き戻しボタン４３、再生ボタン４４、早送りボタン４５、停止ボタン４６、一時停止ボタン４７、及びデモンストレーション機能を作動させるためのデモンストレーションボタン（以下、Ｄボタンという）４８を備える。
【００３０】
データ記録再生装置２０の正面左方下部には、開閉自在に下端が枢支された開閉蓋２１が設けられており、開閉蓋２１の内部に設けられた外部入力部９（図２参照）に映像入力装置（例えばビデオカメラ，図示せず）と接続可能に構成されている。データ記録再生装置２０は背面に設けられた外部出力部１５（図２参照）を介してテレビ３０と接続されている。
【００３１】
図２は図１に示すデータ記録再生装置２０の構成を示すブロック図である。図において、１は装置全体の制御を行う制御部であり、ＭＰＵによって構成されている。制御部１はＲＯＭ２に格納してある制御プログラムに従ってデータ記録再生装置２０を構成するハードウェア各部の動作を制御する。
【００３２】
表示部３は制御部１の制御に基づいて、データ記録再生装置２０の動作状態（例えば映像／音声データの記録／再生等の状態、再生時のカウント、予約記録待機状態等）、選択されたチャンネル及び時刻等の表示を行う。操作部４は使用者から種々の操作指示の入力を各種のボタン（図１参照）にて受け付ける。
【００３３】
リモコンユニット５は操作部４と同様の各種のボタンの他、映像／音声データの予約記録を設定するための予約設定ボタン、メニューを表示するためのメニューボタン、メニューの内容を選択するための上下左右ボタン、選択した内容を決定するための決定ボタン等（図示せず）も備え、使用者から種々の操作指示の入力をこれらのボタンにて受け付け、受け付けた指示情報を赤外線にてリモコン受信部６へ送信する。操作部４が受け付けた指示情報、及びリモコン受信部６がリモコンユニット５から受信した指示情報は、制御部１にて処理される。
【００３４】
チューナ部７は制御部１の制御に基づいて、アンテナ（図示せず）を介して受信したテレビ放送のアナログの映像／音声データを記録処理部８へ出力する。外部入力部９は映像入力装置と接続され、映像入力装置から入力された映像／音声データを記録処理部８へ出力する。なお、外部入力部９はテレビ放送のチャンネルと同様、操作部４及びリモコンユニット５のチャンネル選択ボタンにより、外部入力チャンネルとして選択が可能である。
【００３５】
記録処理部８はＭＰＥＧ（Motion Picture Experts Group）エンコーダであり、制御部１の制御に基づいて、チューナ部７から入力されたアナログの映像／音声データをＡ／Ｄ変換した後にＭＰＥＧ２方式の圧縮符号化処理を行い、デジタルの映像／音声データとしてＨＤＤ１０を構成する記録／読取部１１へ出力する。また、記録処理部８は制御部１の制御に基づいて、外部入力部９から入力された映像／音声データがアナログである場合には、Ａ／Ｄ変換した後、ＭＰＥＧ２方式の圧縮符号化処理を行って記録／読取部１１へ出力し、ＭＰＥＧ２方式の圧縮符号化処理がなされている場合には、そのまま記録／読取部１１へ出力する。
【００３６】
記録／読取部１１は制御部１の制御に基づいて、記録処理部８から入力されたデジタルの映像／音声データをバッファメモリ１２に一旦記録してから、タイトル名（例えば記録開始の日時及びチャンネル，図４（ｂ）参照）と対応付けて記録媒体としてのハードディスク（プラッタ）１３に記録する。また、記録／読取部１１は制御部１の制御に基づいて、ハードディスク１３に記録してある映像／音声データを消去し、ハードディスク１３に記録してあるデジタルの映像／音声データをバッファメモリ１２に一旦読み取ってから、再生処理部１４へ出力する。なお、ハードディスク１３に記録してある映像／音声データのタイトル名は、リモコンユニット５の操作により適宜変更可能である。
【００３７】
また、記録処理部８は制御部１の制御に基づいて、チューナ部７又は外部入力部９から入力された映像／音声データを再生処理部１４へ直接出力する。なお、この場合、外部入力部９から入力された映像／音声データがアナログであるときには、記録処理部８はＡ／Ｄ変換処理及びＭＰＥＧ２方式の圧縮符号化処理を施さず、アナログデータとしてそのまま再生処理部１４へ出力する。
【００３８】
再生処理部１４はＭＰＥＧデコーダであり、制御部１の制御に基づいて、記録／読取部１１から入力されたデジタルの映像／音声データを復号化伸張した後、Ｄ／Ａ変換し（映像／音声データを再生し）、アナログの映像／音声データとして外部出力部１５へ出力する。したがって、記録／読取部１１及び再生処理部１４が再生手段として動作する。
【００３９】
また、再生処理部１４は制御部１の制御に基づいて、記録処理部８から直接入力された映像／音声データも外部出力部１５へ出力する。なお、記録処理部８から直接入力された映像／音声データがＭＰＥＧ２方式の圧縮符号化処理を施されている場合には、再生処理部１４は復号化伸張した後、Ｄ／Ａ変換して外部出力部１５へ出力し、ＭＰＥＧ２方式の圧縮符号化処理を施されていない場合には、そのまま外部出力部１５へ出力する。
【００４０】
外部出力部１５はテレビ３０（図１参照）と接続され、再生処理部１４から入力されたアナログの映像／音声データをテレビ３０へ出力する。テレビ３０は外部出力部１５から入力された映像／音声データに基づく映像を表示し、音声を出力する。
【００４１】
また、外部出力部１５は後述するように、制御部１から入力されたメニューデータ又は表示画面データをテレビ３０へ出力し、テレビ３０は外部出力部１５から入力されたメニューデータ又は表示画面データに基づくメニュー画面（図４（ａ），図７，図８参照）又は表示画面（図４（ｂ）参照）を表示する。
【００４２】
また、ＲＯＭ２には制御プログラムの他、各種のメニューデータ及び表示画面データ、並びに後述する領域存在データも予め格納されている。制御部１はリモコンユニット５からリモコン受信部６を介して入力された指示情報に基づき、メニューデータ又は表示画面データをＲＯＭ２から適宜読み取り、読み取ったメニューデータ又は表示画面データを外部出力部１５へ出力する。メニューデータには、予約設定機能を作動させるためのデータ、映像／音声データを全て消去する全消去機能を作動させるためのデータ、デモンストレーション機能を作動させるためのデータ、及びハードディスク１３に記録してある映像／音声データのタイトル名を変更するタイトル名変更機能を作動させるためのデータ等が含まれる。
【００４３】
続いて、図２に示すハードディスク１３のイメージを図３に模式的に示す。ハードディスク１３は予め２つのパーティションに分割されており、一方がドライブＣ（データ領域）であり、他方がドライブＤ（読取専用領域）である。なお、本実施の形態においては、ハードディスク１３のデータ領域はドライブＣの１つとしたが、２つ以上であってもよい。また、図３における斜線部は、後述する図４（ａ）に示すように、テレビ３０には表示されないことを示す。
【００４４】
ドライブＤには予め１つのフォルダＦが設けられており、フォルダＦには、デモデータ（デジタルの映像／音声データ，再生専用データ）が予め記録されている。なお、本実施の形態においては、デモデータをフォルダＦに予め記録してあるとしたが、ドライブＤにフォルダＦを設けることなくドライブＤの任意の領域に予め記録してあってもよい。
【００４５】
ドライブＣには予め５つのフォルダＡ，Ｂ，Ｃ，Ｄ，Ｅが設けられている。フォルダＡ，Ｂ，Ｃ，Ｄは、映像／音声データを記録し、例えば使用者がテレビ放送内容のジャンル別、家族構成員別等に映像／音声データの記録を振り分けることができる。フォルダＥ（再生専用データ記録区域）は、フォルダＦに記録してあるデモデータが、制御部１の制御に基づいて記録／読取部１１によりバッファメモリ１２に一旦読み取られてから記録（複写）される。
【００４６】
ここで、フォルダＡ，Ｂ，Ｃ，Ｄ，Ｅ，Ｆを識別するための識別子には消去を禁止するための情報が含まれており、フォルダＦに記録されているデモデータのファイル属性にも消去を禁止するための情報が含まれている。よって、フォルダＡ，Ｂ，Ｃ，Ｄ，Ｅ，Ｆ、及びフォルダＦに記録されているデモデータの記録／読取部１１による消去は不可能である。ただし、フォルダＡ，Ｂ，Ｃ，Ｄに記録してある映像／音声データ、及びフォルダＥに記録（複写）してあるデモデータはそれぞれ、ファイル属性に消去を禁止するための情報が含まれていないため、記録／読取部１１による消去は可能である。
【００４７】
制御部１は後述するように、ＲＯＭ２に格納してあるハードディスク１３に記録してある映像／音声データの再生用又は消去用のメニューデータを読み取って外部出力部１５へ出力する際に、同じくＲＯＭ２に格納してあるドライブＣの存在を示す領域存在データを読み取って外部出力部１５へ出力する。領域存在データはフォルダＡ，Ｂ，Ｃ，Ｄを含むが、フォルダＥは含まない。よって、テレビ３０にはドライブＣ及びフォルダＡ，Ｂ，Ｃ，Ｄは表示されるが、フォルダＥ及びドライブＤは表示されない（図４（ａ），図７参照）。つまり、フォルダＥ及びドライブＤは使用者にその存在を認識されることがない。
【００４８】
以上の如き構成のデータ記録再生装置２０において、テレビ放送の映像／音声データを記録する場合、操作部４又はリモコンユニット５にてチャンネルが設定された後、記録ボタンが押圧されたとき、制御部１はチューナ部７、記録処理部８及び記録／読取部１１へ各種制御信号を出力する。一方、外部入力部９に接続した映像入力装置に記録してある映像／音声データを記録する場合、操作部４又はリモコンユニット５にて外部入力チャンネルが設定された後、記録ボタンが押圧されたとき、制御部１は記録処理部８及び記録／読取部１１へ各種制御信号を出力する。これにより、前者ではアンテナを介してチューナ部７にて受信した映像／音声データが、後者では外部入力部９を介して入力された映像／音声データがハードディスク１３に記録される。
【００４９】
そして、操作部４又はリモコンユニット５の停止ボタンが押圧された場合、制御部１はチューナ部７、記録処理部８及び記録／読取部１１へ各種制御信号を出力するため、映像／音声データの記録が終了される。
【００５０】
また、データ記録再生装置２０において、以上のようにしてハードディスク１３に記録した映像／音声データを再生する場合、リモコンユニット５のメニューボタンが（例えば１回）押圧されたとき、制御部１は再生用のメニューデータをＲＯＭ２から読み取り、外部出力部１５へ出力するため、テレビ３０には図４（ａ）に示す再生用のメニュー画面が表示される。ここで、フォルダＡが選択された場合、図４（ｂ）に示すように、フォルダＡに記録してある映像／音声データに対応する映像（静止画）がタイトル名と共にテレビ３０に一覧表示され、使用者は所望の映像／音声データを選択することができる。そして、リモコンユニット５の決定ボタン又は再生ボタンが押圧されたとき、制御部１は記録／読取部１１及び再生処理部１４へ各種制御信号を出力する。これにより、フォルダＡに記録してある映像／音声データに基づく映像がテレビ３０に表示され、音声が出力される。なお、図４における斜線部は、リモコンユニット５の上下左右ボタンにより選択されていることを示す。
【００５１】
そして、操作部４又はリモコンユニット５の停止ボタンが押圧された場合、制御部１は記録／読取部１１及び再生処理部１４へ各種制御信号を出力するため、映像／音声データの再生が終了される。
【００５２】
続いて、データ記録再生装置２０において、本発明の特徴であるデモンストレーション機能について説明する。図５は本発明に係るデータ記録再生装置２０の制御部１によるデモンストレーション処理の手順を示すフローチャートである。
【００５３】
まず制御部１は、デモンストレーション開始の指示（デモデータの再生指示）の入力として、操作部４のＤボタン４８又はリモコンユニット５のＤボタンの押圧を監視する（Ｓ１）。Ｄボタンが押圧されない場合（Ｓ１：ＮＯ）には、制御部１は押圧の監視を続行する。一方、Ｄボタンが押圧された場合（Ｓ１：ＹＥＳ）には、制御部１はドライブＣのフォルダＥにデモデータが記録されているか否かを判定する（Ｓ２）。
【００５４】
ステップＳ２において記録されていないと判定した場合（Ｓ２：ＮＯ）、制御部１は記録／読取部１１へ読取信号及び記録信号を出力する（Ｓ３）。これにより、フォルダＦに記録してあるデモデータがフォルダＥに複写される。
【００５５】
ステップＳ２において記録されていると判定した場合（Ｓ２：ＹＥＳ）、又はステップＳ３の処理の後、制御部１は記録／読取部１１へ読取信号を出力し（Ｓ４）、次いで再生処理部１４へ復号化伸張処理の実行の指示信号を出力し（Ｓ５）、処理を終了する。これにより、使用者が記録してあることを認識することができないデモデータが再生され、デモデータをデータ記録再生装置２０の操作方法を説明するためのマニュアルデータとした場合、テレビ３０にはマニュアルに係る映像が表示され、音声が出力されるため、使用者はデータ記録再生装置２０の操作方法を知ることができる。
【００５６】
次に、データ記録再生装置２０において、全フォルダ（フォルダＡ〜Ｄ）に記録してある映像／音声データの全消去機能について説明する。図６は本発明に係るデータ記録再生装置２０の制御部１による全消去処理の手順を示すフローチャートである。
【００５７】
まず制御部１は、リモコンユニット５のメニューボタンが（例えば２回）押圧された場合、消去用のメニューデータをＲＯＭ２から読み取り、外部出力部１５へ出力する（Ｓ１１）。そうすると、テレビ３０には図７に示す消去用のメニュー画面が表示される。なお、図７における斜線部は、リモコンユニット５の上下左右ボタンにより選択されていることを示す。
【００５８】
次に制御部１は、全フォルダに記録してある映像／音声データの全消去の指示の入力として、図７に示す消去用のメニュー画面の「全フォルダ」がリモコンユニット５の上下左右ボタンにより選択され、決定ボタンが押圧されたか否かを監視する（Ｓ１２）。決定ボタンが押圧されない場合（Ｓ１２：ＮＯ）には、制御部１は押圧の監視を続行する。
【００５９】
一方、決定ボタンが押圧された場合（Ｓ１２：ＹＥＳ）には、制御部１はハードディスク１３に記録してある全データの属性を検索し（Ｓ１３）、次いで検索した属性の内、消去を禁止するための情報が含まれていないデータの全消去信号を記録／読取部１１へ出力する（Ｓ１４）。これにより、ドライブＣのフォルダＡ，Ｂ，Ｃ，Ｄに記録してある映像／音声データが全て消去され、ドライブＣのフォルダＥにデモデータが記録してある場合には、デモデータも消去される。
【００６０】
次に制御部１はフォルダＦに記録してあるデモデータをフォルダＥへ複写するために、記録／読取部１１へ読取信号及び記録信号を出力し（Ｓ１５）、処理を終了する。
【００６１】
なお、前述した実施の形態においては、本発明に係るデータ記録再生装置２０は、デモデータの再生を操作部４のＤボタン４８又はリモコンユニット５のＤボタンを押圧して行う構成としたが、これに限らず、図８に示すように、ＲＯＭ２に格納してあるデモデータ再生用のデータに基づくメニュー画面をテレビ３０に表示し、表示した「デモデータ再生」の項目が選択・決定されることにより行う構成としてもよい。
【００６２】
また、前述した実施の形態においては、本発明に係るデータ記録再生装置２０は、フォルダＡ〜Ｄの選択を、図４（ａ）に示すメニュー画面をテレビ３０に表示してから行う構成としたが、これに限らず、図９に示すように、フォルダＡ〜Ｄを各別に直接的に選択可能なフォルダ選択ボタン４９を操作部４に（コントロールユニット５にも）更に設ける構成としてもよい。この場合、使用者はフォルダ選択ボタン４９の「Ａ」（「Ｂ」，「Ｃ」，「Ｄ」）ボタンを押圧することにより、テレビ３０には図４（ａ）に示すメニュー画面が表示されることなく、図４（ｂ）に示す一覧表が表示されるため、装置の操作性が向上する。加えて、フォルダ選択ボタン４９にはフォルダＥ，Ｆを選択するためのボタンが含まれていないため、デモデータの存在を使用者に認識させることを防止すると共に、使用者によるフォルダＥ，Ｆの操作を防止する。
【００６３】
また、前述した実施の形態においては、本発明に係るデータ記録再生装置２０は、デモンストレーション時にはデモデータをフォルダＦからフォルダＥへ一旦複写してから再生する構成としたが、これに限らず、フォルダＥへ複写することなく、フォルダＦから直接再生する構成としてもよい。
【００６４】
また、前述した実施の形態においては、本発明に係るデータ記録再生装置２０は、デモデータ（再生専用データ）が予め記録された読取専用領域をドライブＤとしてハードディスク１３に設ける構成としたが、これに限らず、ＲＯＭ２にデモデータを予め記録しておく構成としてもよい。このような構成とした場合、装置の構成はそのままに、ハードディスク１３に記録する映像／音声データの記録容量を増加することができる。
【００６５】
また、前述した実施の形態においては、本発明に係るデータ処理装置をビデオ装置に適用したが、これに限らず、例えばテレビ放送の映像／音声データを記録／再生する機能を備えるパーソナルコンピュータに適用してもよい。
【００６６】
更に、前述した実施の形態においては、本発明に係るデータ処理装置が記録／再生するデータ及び再生専用データを映像／音声データとしたが、これに限らず、音声データとし、本発明に係るデータ処理装置２０を例えば可搬型の音声記録再生装置として適用してもよい。
【図面の簡単な説明】
【００６７】
【図１】本発明に係るデータ記録再生装置の概観及び接続例を示す模式図である。
【図２】図１に示すデータ記録再生装置の構成を示すブロック図である。
【図３】図２に示すハードディスクのイメージを示す模式図である。
【図４】フォルダＡ〜Ｄに記録してある映像／音声データを選択して再生するためのメニュー画面及び表示画面の一例を示す図である。
【図５】本発明に係るデータ記録再生装置の制御部によるデモンストレーション処理の手順を示すフローチャートである。
【図６】本発明に係るデータ記録再生装置の制御部による全消去処理の手順を示すフローチャートである。
【図７】全フォルダに記録してある映像／音声データを選択して消去するためのメニュー画面の一例を示す図である。
【図８】デモデータ再生用のメニュー画面の一例を示す図である。
【図９】図１に示す操作部の他の構成例を示す図である。
【符号の説明】
【００６８】
１  制御部
４  操作部
５  リモコンユニット
６  リモコン受信部
７  チューナ部
８  記録処理部
１０  ＨＤＤ
１１  記録／読取部
１３  ハードディスク
１４  再生処理部
【図１】
2005235339.tif 000003
【図２】
2005235339.tif 000004
【図３】
2005235339.tif 000005
【図４】
2005235339.tif 000006
【図５】
2005235339.tif 000007
【図６】
2005235339.tif 000008
【図７】
2005235339.tif 000009
【図８】
2005235339.tif 000010
【図９】
2005235339.tif 000011